(57)【要約】【課題】  Ｗ−ＣＤＭＡ方式等の通信方式を用いた移動通信システムにおいて、通信品質に応じて目標ＳＩＲの下限値を変化させ、送信電力を適切に制御する。【解決手段】  通信品質測定部２が、無線信号のデータ誤りを検出し、通信品質が予め定められた程度にまで低下したことを検出する。すると、ＳＩＲ制御部３は、目標ＳＩＲの値の下限であるベースＳＩＲの値を、通信品質が予め定められた程度にまで低下したことを検出したときの目標ＳＩＲの値に所定の値を加えた値に変更してメモリ部４に記憶させ、タイマ部５に時間の計測を開始させる。その後、ＳＩＲ制御部３は、ベースＳＩＲ保存時間内であれば、通信品質測定部２が通信品質が予め定められた程度にまで低下したことを検出するまで、または、メモリ部４が記憶しているベースＳＩＲの値まで、目標ＳＩＲの値を小さくしていく。【選択図】  図１
2006324885.tif 000002
【特許請求の範囲】
【請求項１】
無線信号を送信する送信装置と、前記送信装置から無線信号を受信する受信装置とを含み、前記受信装置は、通信品質を測定する通信品質測定手段を有し、前記通信品質測定手段の測定結果に応じて目標ＳＩＲ値を変化させるとともに、前記目標ＳＩＲ値を満たすように前記送信装置に送信電力の変更を要求する移動通信システムにおいて、
前記受信装置は、
目標ＳＩＲ値の下限であるベースＳＩＲ値を記憶する記憶手段と、
前記通信品質測定手段が、通信品質が予め定められた程度にまで低下したことを検出すると、予め決められた値を目標ＳＩＲ値に加えた値に目標ＳＩＲ値を変更し、ベースＳＩＲ値を、通信品質が予め定められた程度にまで低下したことを検出したときの目標ＳＩＲ値に所定の値を加えた値に変更して前記記憶手段に記憶させるＳＩＲ制御手段と、
前記ＳＩＲ制御手段の制御にしたがって時間を計測する計時手段とを備え、
前記ＳＩＲ制御手段は、ベースＳＩＲ値を変更して前記記憶手段に記憶させると前記計時手段に時間の計測を開始させ、前記計時手段が計測した時間が所定の時間内であるときは、前記通信品質測定手段が通信品質が予め定められた程度にまで低下したことを検出するまで、または、前記記憶手段が記憶しているベースＳＩＲ値まで、目標ＳＩＲ値を小さくしていく
ことを特徴とする移動通信システム。
【請求項２】
記憶手段は、ベースＳＩＲ値の上限である最大ベースＳＩＲ値を記憶し、
ＳＩＲ制御手段は、通信品質測定手段が通信品質が予め定められた程度にまで低下したことを検出したときの目標ＳＩＲ値に所定の値を加えた値が前記最大ベースＳＩＲ値よりも大きければ、ベースＳＩＲ値を前記最大ベースＳＩＲ値が示す値に変更して前記記憶手段に記憶させる
請求項１記載の移動通信システム。
【請求項３】
ＳＩＲ制御手段は、計時手段が計測した時間が予め決められた時間を経過してから通信品質測定手段が通信品質が予め定められた程度にまで低下したことを検出すると、ベースＳＩＲ値を変更して記憶手段に記憶させる
請求項１または請求項２記載の移動通信システム。
【請求項４】
通信品質を測定する通信品質測定手段を有し、移動通信端末から無線信号を受信し、前記通信品質測定手段の測定結果に応じて目標ＳＩＲ値を変化させるとともに、前記目標ＳＩＲ値を満たすように前記移動通信端末に送信電力の変更を要求する基地局において、
目標ＳＩＲ値の下限であるベースＳＩＲ値を記憶する記憶手段と、
前記通信品質測定手段が、通信品質が予め定められた程度にまで低下したことを検出すると、予め決められた値を目標ＳＩＲ値に加えた値に目標ＳＩＲ値に変更し、ベースＳＩＲ値を、通信品質が予め定められた程度にまで低下したことを検出したときの目標ＳＩＲ値に所定の値を加えた値に変更して前記記憶手段に記憶させるＳＩＲ制御手段と、
前記ＳＩＲ制御手段の制御にしたがって時間を計測する計時手段とを備え、
前記ＳＩＲ制御手段は、ベースＳＩＲ値を変更して前記記憶手段に記憶させると前記計時手段に時間の計測を開始させ、前記計時手段が計測した時間が所定の時間内であるときは、前記通信品質測定手段が通信品質が予め定められた程度にまで低下したことを検出するまで、または、前記記憶手段が記憶しているベースＳＩＲ値まで、目標ＳＩＲ値を小さくしていく
ことを特徴とする基地局。
【請求項５】
記憶手段は、ベースＳＩＲ値の上限である最大ベースＳＩＲ値を記憶し、
ＳＩＲ制御手段は、通信品質測定手段が通信品質が予め定められた程度にまで低下したことを検出したときの目標ＳＩＲ値に所定の値を加えた値が前記最大ベースＳＩＲ値よりも大きければ、ベースＳＩＲ値を前記最大ベースＳＩＲ値が示す値に変更して前記記憶手段に記憶させる
請求項４記載の基地局。
【請求項６】
ＳＩＲ制御手段は、計時手段が計測した時間が予め決められた時間を経過してから通信品質測定手段が通信品質が予め定められた程度にまで低下したことを検出すると、ベースＳＩＲ値を変更して記憶手段に記憶させる
請求項４または請求項５記載の基地局。
【請求項７】
通信品質を測定する通信品質測定手段を有し、基地局から無線信号を受信し、前記通信品質測定手段の測定結果に応じて目標ＳＩＲ値を変化させるとともに、前記目標ＳＩＲ値を満たすように前記基地局に送信電力の変更を要求する移動通信端末において、
目標ＳＩＲ値の下限であるベースＳＩＲ値を記憶する記憶手段と、
前記通信品質測定手段が通信品質が予め定められた程度にまで低下したことを検出すると、予め決められた値を目標ＳＩＲ値に加えた値に目標ＳＩＲ値を変更し、ベースＳＩＲ値を、通信品質が予め定められた程度にまで低下したことを検出したときの目標ＳＩＲ値に所定の値を加えた値に変更して前記記憶手段に記憶させるＳＩＲ制御手段と、
前記ＳＩＲ制御手段の制御にしたがって時間を計測する計時手段とを備え、
前記ＳＩＲ制御手段は、ベースＳＩＲ値を変更して前記記憶手段に記憶させると前記計時手段に時間の計測を開始させ、前記計時手段が計測した時間が所定の時間内であるときは、前記通信品質測定手段が通信品質が予め定められた程度にまで低下したことを検出するまで、または、前記記憶手段が記憶しているベースＳＩＲ値まで、目標ＳＩＲ値を小さくしていく
ことを特徴とする移動通信端末。
【請求項８】
記憶手段は、ベースＳＩＲ値の上限である最大ベースＳＩＲ値を記憶し、
ＳＩＲ制御手段は、通信品質測定手段が通信品質が予め定められた程度にまで低下したことを検出したときの目標ＳＩＲ値に所定の値を加えた値が前記最大ベースＳＩＲ値よりも大きければ、ベースＳＩＲ値を前記最大ベースＳＩＲ値が示す値に変更して前記記憶手段に記憶させる
請求項７記載の移動通信端末。
【請求項９】
ＳＩＲ制御手段は、計時手段が計測した時間が予め決められた時間を経過してから通信品質測定手段が通信品質が予め定められた程度にまで低下したことを検出すると、ベースＳＩＲ値を変更して記憶手段に記憶させる
請求項７または請求項８記載の移動通信端末。
【請求項１０】
通信品質を測定する通信品質測定手段を有し、送信装置から無線信号を受信し、前記通信品質測定手段の測定結果に応じて目標ＳＩＲ値を変化させるとともに、前記目標ＳＩＲ値を満たすように前記送信装置に送信電力の変更を要求する受信装置における送信電力制御方法において、
目標ＳＩＲ値の下限であるベースＳＩＲ値を記憶し、
前記通信品質測定手段が通信品質が予め定められた程度にまで低下したことを検出すると、そのときの目標ＳＩＲ値に所定の値を加えた値にベースＳＩＲ値を変更して記憶し、
ベースＳＩＲ値を変更して記憶すると時間の計測を開始し、
時間の計測を開始してから所定の時間内は、前記通信品質測定手段が通信品質が予め定められた程度にまで低下したことを検出するまで、または、記憶しているベースＳＩＲ値まで、目標ＳＩＲ値を小さくしていく
ことを特徴とする送信電力制御方法。
【請求項１１】
ベースＳＩＲ値の上限である最大ベースＳＩＲ値を記憶し、
通信品質測定手段が通信品質が予め定められた程度にまで低下したことを検出したときの目標ＳＩＲ値に所定の値を加えた値が前記最大ベースＳＩＲ値よりも大きければ、ベースＳＩＲ値を前記最大ベースＳＩＲ値が示す値に変更して記憶する
請求項１０記載の送信電力制御方法。
【請求項１２】
計測した時間が予め決められた時間を経過してから通信品質測定手段が通信品質が予め定められた程度にまで低下したことを検出すると、ベースＳＩＲ値を変更して記憶する
請求項１０または請求項１１記載の送信電力制御方法。
【発明の詳細な説明】
【技術分野】
【０００１】
本発明は、Ｗ−ＣＤＭＡ方式等を用いた移動通信システムにおいて、送信電力を適切に制御する移動通信システム、基地局、移動通信端末、および送信電力制御方法に関する。
【背景技術】
【０００２】
Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式の移動通信システムにおいて、基地局および移動局の送信電力が大きいと、消費電力が増大したり、他の移動局への干渉が大きくなったりする等の問題が発生する。また、送信電力が小さいと、通信品質が低下してしまうという問題が発生する。そこで、基地局および移動局の送信電力を適正な値に制御する送信電力制御（ＴＰＣ（Ｔｒａｎｓｍｉｔ  Ｐｏｗｅｒ  Ｃｏｎｔｒｏｌ））が行われている。
【０００３】
非特許文献１には、Ｗ−ＣＤＭＡ方式の移動通信システムで行われている一般的な送信電力制御方法が記載されている。
【０００４】
Ｗ−ＣＤＭＡ方式の移動通信システムで行われている送信電力制御として、必要とする通信品質が維持できるように、受信側が行った通信品質の測定結果を、基地局と移動局との間で送受信されている制御情報で送信側にフィードバックするクローズドループ送信電力制御がある。図６は、非特許文献１に記載されているような一般的なクローズドループ送信電力制御の概要を示す説明図である。
【０００５】
図６に示すように、クローズドループ送信電力制御は、インナーループ送信電力制御とアウターループ送信電力制御との２つのループによる送信電力制御で構成されている。
【０００６】
インナーループ送信電力制御では、受信側が、受信ＳＩＲ（Ｓｉｇｎａｌ  ｔｏ  Ｉｎｔｅｒｆｅｒｅｎｃｅ  Ｒａｔｉｏ（信号電力対雑音電力比））を測定する。そして、受信ＳＩＲの値がＳＩＲの目標値である目標ＳＩＲの値に達していなければ、受信側は送信電力を大きくすることを要求するＴＰＣビットを含む制御情報を送信側に送信する。また、受信ＳＩＲが目標ＳＩＲ以上であれば、受信側は送信電力を小さくすることを要求するＴＰＣビットを含む制御情報を送信側に送信する。送信側は、受信側の要求に応じて送信電力を大きくしたり小さくしたりする。
【０００７】
また、アウターループ送信電力制御では、ＣＲＣ（Ｃｙｃｌｉｃ  Ｒｅｄｕｎｄａｎｃｙ  Ｃｈｅｃｋ）符号を用いて、受信側がＢＬＥＲ（Ｂｌｏｃｋ  Ｅｒｒｏｒ  Ｒａｔｅ（ブロック誤り率））等を測定して通信品質を評価し、通信品質が目標の通信品質を満たすように目標ＳＩＲを制御する。例えば、ＢＬＥＲ等をある程度の長時間（例えば、数百ｍｓから数ｓ）測定して評価し、目標の通信品質を満たす目標ＳＩＲを設定する。
【０００８】
具体的には、通信品質が目標の通信品質より低下した（ＢＬＥＲが所定値よりも大きい）場合は目標ＳＩＲの値を大きくし、通信品質が目標の通信品質よりよい（ＢＬＥＲが所定値以下）場合は目標ＳＩＲの値を小さくする。受信側は、目標ＳＩＲの値に応じて、送信電力を大きくしたり小さくしたりすることを送信側に要求する。送信側は、受信側の要求に応じて送信電力を大きくしたり小さくしたりする。
【０００９】
なお、特許文献１では、Ｗ−ＣＤＭＡ方式で、受信側が、測定したＳＩＲの値と予め決められている目標ＳＩＲの下限値とにもとづいて、目標とすべきＳＩＲの値を算出し、算出した値を目標ＳＩＲの値に設定する方法が提案されている。
【００１０】
【非特許文献１】松尾憲一著、「スペクトラム拡散技術のすべて」、第１版、東京電機大学出版局、２００４年６月、ｐ．２２９−２３０
【特許文献１】特開２００３−１８８８１５号公報  （段落００１３〜００２３、図１）
【発明の開示】
【発明が解決しようとする課題】
【００１１】
しかし、非特許文献１に記載されている方法では、送信側の送信電力を大きくしたことによって通信品質が向上されると、送信側の送信電力を小さくするため通信品質が低下する。そこで、送信側は、再び送信電力を大きくして通信品質を向上する。しかし、通信品質が向上されると、送信側は送信電力を小さくするため、再び通信品質が低下する。すなわち、通信品質の向上と低下とを繰り返すという問題がある。具体的には、通信品質の低下による無線信号で送信されるブロックのデータ誤りが頻繁に発生するという問題がある。図７は、通信品質の向上と低下とを繰り返す状況を示す説明図である。図７に示す例では、無線信号で送信されるブロックのデータ誤りが頻繁に発生している。
【００１２】
また、特許文献１に記載されている方法では、予め固定の目標ＳＩＲの下限値が決められている。しかし、目標ＳＩＲの下限値が小さすぎると、非特許文献１に記載されている方法と同様の問題が発生する。すなわち、通信品質の向上と低下とを繰り返すという問題が発生する。また、目標ＳＩＲの下限値が大きすぎると、消費電力が増大したり、他の移動局への干渉が大きくなったりする等の問題が発生する。ところが、特許文献１に記載されている方法は、目標ＳＩＲの下限値を通話品質等に応じて変更しないため、目標ＳＩＲの下限値が小さすぎたり、大きすぎたりするために発生する問題を解消することができない。
【００１３】
そこで、本発明は、Ｗ−ＣＤＭＡ方式等の通信方式において、通信品質に応じて目標ＳＩＲの下限値を変化させ、送信電力を適切に制御する移動通信システム、基地局、移動通信端末、および送信電力制御方法を提供することを目的とする。
【課題を解決するための手段】
【００１４】
本発明における移動通信システムは、無線信号を送信する送信装置と、送信装置から無線信号を受信する受信装置とを含み、受信装置は、通信品質を測定する通信品質測定手段を有し、通信品質測定手段の測定結果に応じて目標ＳＩＲ値を変化させるとともに、目標ＳＩＲ値を満たすように、送信装置に送信電力の変更を要求する移動通信システムであって、受信装置は、目標ＳＩＲ値の下限であるベースＳＩＲ値を記憶する記憶手段と、通信品質測定手段が、通信品質が予め定められた程度にまで低下したことを検出すると、予め決められた値を目標ＳＩＲ値に加えた値に目標ＳＩＲ値を変更し、ベースＳＩＲ値を、通信品質が予め定められた程度にまで低下したことを検出したときの目標ＳＩＲ値に所定の値を加えた値に変更して記憶手段に記憶させるＳＩＲ制御手段と、ＳＩＲ制御手段の制御にしたがって時間を計測する計時手段とを備え、ＳＩＲ制御手段は、ベースＳＩＲ値を変更して記憶手段に記憶させると計時手段に時間の計測を開始させ、計時手段が計測した時間が所定の時間内であるときは、通信品質測定手段が通信品質が予め定められた程度にまで低下したことを検出するまで、または、記憶手段が記憶しているベースＳＩＲ値まで、目標ＳＩＲ値を小さくしていくことを特徴とする。
【００１５】
記憶手段は、ベースＳＩＲ値の上限である最大ベースＳＩＲ値を記憶してもよく、ＳＩＲ制御手段は、通信品質測定手段が通信品質が予め定められた程度にまで低下したことを検出したときの目標ＳＩＲ値に所定の値を加えた値が最大ベースＳＩＲ値よりも大きければ、ベースＳＩＲ値を最大ベースＳＩＲ値が示す値に変更して記憶手段に記憶させてもよい。
【００１６】
ＳＩＲ制御手段は、計時手段が計測した時間が予め決められた時間を経過してから通信品質測定手段が通信品質が予め定められた程度にまで低下したことを検出すると、ベースＳＩＲ値を変更して記憶手段に記憶させてもよい。
【００１７】
本発明による基地局は、通信品質を測定する通信品質測定手段を有し、移動通信端末から無線信号を受信し、通信品質測定手段の測定結果に応じて目標ＳＩＲ値を変化させるとともに、目標ＳＩＲ値を満たすように移動通信端末に送信電力の変更を要求する基地局であって、目標ＳＩＲ値の下限であるベースＳＩＲ値を記憶する記憶手段と、通信品質測定手段が、通信品質が予め定められた程度にまで低下したことを検出すると、予め決められた値を目標ＳＩＲ値に加えた値に目標ＳＩＲ値に変更し、ベースＳＩＲ値を、通信品質が予め定められた程度にまで低下したことを検出したときの目標ＳＩＲ値に所定の値を加えた値に変更して記憶手段に記憶させるＳＩＲ制御手段と、ＳＩＲ制御手段の制御にしたがって時間を計測する計時手段とを備え、ＳＩＲ制御手段は、ベースＳＩＲ値を変更して記憶手段に記憶させると計時手段に時間の計測を開始させ、計時手段が計測した時間が所定の時間内であるときは、通信品質測定手段が通信品質が予め定められた程度にまで低下したことを検出するまで、または、記憶手段が記憶しているベースＳＩＲ値まで、目標ＳＩＲ値を小さくしていくことを特徴とする。
【００１８】
記憶手段は、ベースＳＩＲ値の上限である最大ベースＳＩＲ値を記憶してもよく、ＳＩＲ制御手段は、通信品質測定手段が通信品質が予め定められた程度にまで低下したことを検出したときの目標ＳＩＲ値に所定の値を加えた値が最大ベースＳＩＲ値よりも大きければ、ベースＳＩＲ値を最大ベースＳＩＲ値が示す値に変更して記憶手段に記憶させてもよい。
【００１９】
ＳＩＲ制御手段は、計時手段が計測した時間が予め決められた時間を経過してから通信品質測定手段が通信品質が予め定められた程度にまで低下したことを検出すると、ベースＳＩＲ値を変更して記憶手段に記憶させてもよい。
【００２０】
本発明による移動通信端末は、通信品質を測定する通信品質測定手段を有し、基地局から無線信号を受信し、通信品質測定手段の測定結果に応じて目標ＳＩＲ値を変化させるとともに、目標ＳＩＲ値を満たすように基地局に送信電力の変更を要求する移動通信端末であって、目標ＳＩＲ値の下限であるベースＳＩＲ値を記憶する記憶手段と、通信品質測定手段が通信品質が予め定められた程度にまで低下したことを検出すると、予め決められた値を目標ＳＩＲ値に加えた値に目標ＳＩＲ値を変更し、ベースＳＩＲ値を、通信品質が予め定められた程度にまで低下したことを検出したときの目標ＳＩＲ値に所定の値を加えた値に変更して記憶手段に記憶させるＳＩＲ制御手段と、ＳＩＲ制御手段の制御にしたがって時間を計測する計時手段とを備え、ＳＩＲ制御手段は、ベースＳＩＲ値を変更して記憶手段に記憶させると計時手段に時間の計測を開始させ、計時手段が計測した時間が所定の時間内であるときは、通信品質測定手段が通信品質が予め定められた程度にまで低下したことを検出するまで、または、記憶手段が記憶しているベースＳＩＲ値まで、目標ＳＩＲ値を小さくしていくことを特徴とする。
【００２１】
記憶手段は、ベースＳＩＲ値の上限である最大ベースＳＩＲ値を記憶してもよく、ＳＩＲ制御手段は、通信品質測定手段が通信品質が予め定められた程度にまで低下したことを検出したときの目標ＳＩＲ値に所定の値を加えた値が最大ベースＳＩＲ値よりも大きければ、ベースＳＩＲ値を最大ベースＳＩＲ値が示す値に変更して記憶手段に記憶させてもよい。
【００２２】
ＳＩＲ制御手段は、計時手段が計測した時間が予め決められた時間を経過してから通信品質測定手段が通信品質が予め定められた程度にまで低下したことを検出すると、ベースＳＩＲ値を変更して記憶手段に記憶させてもよい。
【００２３】
本発明による送信電力制御方法は、通信品質を測定する通信品質測定手段を有し、送信装置から無線信号を受信し、通信品質測定手段の測定結果に応じて目標ＳＩＲ値を変化させるとともに、目標ＳＩＲ値を満たすように送信装置に送信電力の変更を要求する受信装置における送信電力制御方法であって、目標ＳＩＲ値の下限であるベースＳＩＲ値を記憶し、通信品質測定手段が通信品質が予め定められた程度にまで低下したことを検出すると、そのときの目標ＳＩＲ値に所定の値を加えた値にベースＳＩＲ値を変更して記憶し、ベースＳＩＲ値を変更して記憶すると時間の計測を開始し、時間の計測を開始してから所定の時間内は、通信品質測定手段が通信品質が予め定められた程度にまで低下したことを検出す  るまで、または、記憶しているベースＳＩＲ値まで、目標ＳＩＲ値を小さくしていくことを特徴とする。
【００２４】
ベースＳＩＲ値の上限である最大ベースＳＩＲ値を記憶してもよく、通信品質測定手段が通信品質が予め定められた程度にまで低下したことを検出したときの目標ＳＩＲ値に所定の値を加えた値が最大ベースＳＩＲ値よりも大きければ、ベースＳＩＲ値を最大ベースＳＩＲ値が示す値に変更して記憶してもよい。
【００２５】
計測した時間が予め決められた時間を経過してから通信品質測定手段が通信品質が予め定められた程度にまで低下したことを検出すると、ベースＳＩＲ値を変更して記憶してもよい。
【発明の効果】
【００２６】
本発明によれば、Ｗ−ＣＤＭＡ方式等の通信方式を用いた移動通信システムにおいて、受信側の通信品質に応じて送信側の送信電力を適切に制御するので、送信側の消費電力の増大や、通信品質の低下を防ぐことができる。
【００２７】
通信品質が予め定められた程度にまで低下したことが検出されたときの目標ＳＩＲ値に所定の値を加えた値がベースＳＩＲ値の上限である最大ベースＳＩＲ値よりも大きければ、ベースＳＩＲ値を最大ベースＳＩＲ値が示す値に変更するように構成されている場合には、ベースＳＩＲ値の上限が決められているため、目標ＳＩＲ値が大きい状態が継続することを防ぐことができる。目標ＳＩＲ値が大きい状態が継続すると、消費電力の増大や、他の移動局への干渉等の問題が発生するが、そのような問題の発生を防ぐことができる。
【００２８】
予め決められた時間を経過してから通信品質測定手段が通信品質が予め定められた程度にまで低下したことを検出すると、ベースＳＩＲ値を変更するように構成されている場合には、一時的に頻発した無線信号のデータ誤りによって、ベースＳＩＲ値が大きくなることを防ぐことができる。
【発明を実施するための最良の形態】
【００２９】
本発明の実施の形態について、図面を参照して説明する。図１は、本発明による移動通信システムの実施の形態の受信側の一構成例を示すブロック図である。なお、この実施の形態において、受信側（受信装置）は、移動通信システムの移動局または基地局であり、送信側（送信装置）は、基地局または移動局である。そして、移動局は、例えば、携帯電話機等の移動通信端末によって実現される。また、基地局と移動局とは、Ｗ−ＣＤＭＡ方式等の通信方式で無線信号を送受信する。
【００３０】
本発明による移動通信システムの受信側は、Ｗ−ＣＤＭＡ方式等の通信方式で送信側と通信を行い、無線信号を送受信する通信部１、通信部１が送信側と通信を行う際の通信品質を測定する通信品質測定部（通信品質測定手段）２、目標ＳＩＲの値と、目標ＳＩＲの下限値であるベースＳＩＲの値と、ベースＳＩＲの上限値である最大ベースＳＩＲの値とを設定するＳＩＲ制御部（ＳＩＲ制御手段）３、ＳＩＲ制御部３が設定した値と、ベースＳＩＲの値を変更する条件と、目標ＳＩＲの値を変更する条件とを記憶するメモリ部（記憶手段）４、および時間を計測するタイマ部（計時手段）５を含む。
【００３１】
通信部１は、送信電力を大きくする、または、小さくすることを要求する制御情報を送信側に送信する。通信品質測定部２は、通信部１が送信側と通信を行った際の通信品質を測定する。具体的には、例えば、送信側が、無線信号が含むデータのブロックにＣＲＣ符号を付加して通信部１に送信する。そして、通信部１が無線信号を受信すると、通信品質測定部２は、ブロックに付加されたＣＲＣ符号を用いてＢＬＥＲを測定する。通信品質測定部２は、ＣＲＣ符号を用いてデータ誤り（ＣＲＣエラー）を検出すると、ＳＩＲ制御部３に通信品質が低下したことを通知する。なお、ここでは、通信品質測定部２は、ＣＲＣ符号にもとづいてＢＬＥＲを測定し、ＢＬＥＲが０でない場合に通信品質が低下したと判定するが、通信品質が予め定められた程度にまで低下したことを他の方法で検出するようにしてもよい。
【００３２】
ＳＩＲ制御部３は、通信品質測定部２から通信品質が低下したことが通知されると、目標ＳＩＲの値に予め決められた値を加えて大きくし、通信部１に、送信電力を大きくすることを要求する制御情報を送信側へ送信させる。なお、通信品質測定部２から通信品質が低下したことが通知されると、目標ＳＩＲの値を大きくし、通信部１に、送信電力を大きくすることを要求する制御情報を送信側へ送信させる動作は、一般的なアウターループ送信電力制御にもとづく動作である。そして、ＳＩＲ制御部３は、ベースＳＩＲの値を変更するか否かを判断する。
【００３３】
ベースＳＩＲの値を変更するか否かの判断について説明する。ＳＩＲ制御部３は、通信品質測定部２から通信品質が低下したことが通知されると、メモリ部４が記憶しているベースＳＩＲの値を変更する条件を読み出す。
【００３４】
メモリ部４は、現在のベースＳＩＲの値が設定（記憶）されてから予め決められたホールド時間が経過していると、最大ベースＳＩＲの値を上限値としてベースＳＩＲの値を変更するというベースＳＩＲの値を変更する条件を記憶している。すなわち、現在のベースＳＩＲの値が設定されてから予め決められたホールド時間が経過するまでは、ベースＳＩＲの値は変更されない。
【００３５】
そして、ＳＩＲ制御部３は、メモリ部４から読み出したベースＳＩＲの値を変更する条件を満たすか否かを判断するために、タイマ部５が計測した時間を読み出す。なお、ＳＩＲ制御部３は、ベースＳＩＲの値を変更して設定すると、タイマ部５に、時間の計測を開始させる。
【００３６】
ＳＩＲ制御部３は、タイマ部５が計測した時間が、ベースＳＩＲの値を変更する条件を満たしていると、最大ベースＳＩＲの値を上限値としてベースＳＩＲの値を変更すると判断する。
【００３７】
ＳＩＲ制御部３は、ベースＳＩＲの値を変更すると判断すると、通信品質測定部２から通信品質が低下したことが通知されたときの目標ＳＩＲの値に、例えば、０．５ｄＢ等の所定の値を加えた値を、ベースＳＩＲの値として設定し、メモリ部４に記憶させる。なお、ＳＩＲ制御部３は、目標ＳＩＲの値に所定の値を加えた値が、メモリ部４が記憶している最大ベースＳＩＲの値よりも大きい場合には、最大ベースＳＩＲの値をベースＳＩＲの値として設定してメモリ部４に記憶させる。
【００３８】
次に、ＳＩＲ制御部３が、ベースＳＩＲの値を変更する際の動作を、具体例を挙げて説明する。ここでは、メモリ部４は、ホールド時間が１秒であり、最大ベースＳＩＲの値が１０ｄＢであると記憶し、通信品質測定部２から通信品質が低下したことが通知されたときの目標ＳＩＲの値は６ｄＢである場合を例にする。また、ＳＩＲ制御部３は、ベースＳＩＲの値を変更する際には、通信品質が低下したことが通知されたときの目標ＳＩＲの値に、例えば、０．５ｄＢ加えた値をベースＳＩＲの値にする。
【００３９】
ＳＩＲ制御部３は、通信品質測定部２から通信品質が低下したことが通知されると、メモリ部４から、ホールド時間が１秒であり、最大ベースＳＩＲの値が１０ｄＢであることを読み出す。そして、ＳＩＲ制御部３は、タイマ部５が計測した時間が１秒を経過していると、１０ｄＢを上限値としてベースＳＩＲの値を変更すると判断する。
【００４０】
ＳＩＲ制御部３は、通信品質測定部２から通信品質が低下したことが通知されたときの目標ＳＩＲの値である６ｄＢに０．５ｄＢを加えた６．５ｄＢが、最大ベースＳＩＲの値である１０ｄＢを超えているか否かを判断する。ＳＩＲ制御部３は、６．５ｄＢが、１０ｄＢを超えていないため、６．５ｄＢをベースＳＩＲの値にすることを決定し、メモリ部４に記憶させる。
【００４１】
なお、ＳＩＲ制御部３は、通信品質測定部２から通信品質が低下したことが通知されたときの目標ＳＩＲの値に０．５ｄＢを加えた値が、１０ｄＢを超えている場合、１０ｄＢをベースＳＩＲの値にすることを決定し、メモリ部４に記憶させる。
【００４２】
図２は、無線信号のデータ誤りを検出したときのベースＳＩＲの値を示す説明図である。図２には、時刻ｔ１でデータ誤りが検出され、ベースＳＩＲの値が６．５ｄＢに変更されたが、ホールド時間内であるｔ２でデータ誤りが検出されても、ベースＳＩＲの値が変更されないことが例示されている。
【００４３】
図３は、目標ＳＩＲの値が最大ベースＳＩＲの値よりも大きいときに、データ誤りを検出したことを示す説明図である。図３には、目標ＳＩＲの値が最大ベースＳＩＲの値よりも大きいときにデータ誤りが検出されているため、ベースＳＩＲの値は最大ベースＳＩＲの値になっていることが例示されている。
【００４４】
ところで、ＳＩＲ制御部３は、通信品質測定部２から通信品質が低下したことが所定の時間内に通知されないと、目標ＳＩＲの値を小さくするか否かを判断し、小さくすると判断すると、現在の目標ＳＩＲの値から、例えば、０．１ｄＢ等の一定の値を減算した値を目標ＳＩＲの値に設定する。目標ＳＩＲの値を小さくするか否かの判断について説明する。
【００４５】
ＳＩＲ制御部３は、通信品質測定部２から通信品質が低下したことが所定の時間内に通知されないと、メモリ部４が記憶している目標ＳＩＲの値を小さくする条件を読み出す。
【００４６】
メモリ部４は、現在のベースＳＩＲの値を設定してから所定のベースＳＩＲ保存時間が経過するまでは、目標ＳＩＲの値がベースＳＩＲの値よりも大きいと、ベースＳＩＲの値を下限値として目標ＳＩＲの値を小さくする。また、所定のベースＳＩＲ保存時間経過後には、ベースＳＩＲの値に関わらず、目標ＳＩＲの値を小さくするという条件を記憶している。
【００４７】
そして、ＳＩＲ制御部３は、メモリ部４から読み出した目標ＳＩＲの値を小さくする条件を満たしているか否かを判断するために、タイマ部５が計測した時間を読み出す。なお、ＳＩＲ制御部３は、ベースＳＩＲの値を変更すると、タイマ部５に、時間の計測を開始させる。
【００４８】
ＳＩＲ制御部３は、タイマ部５が計測した時間が、所定のベースＳＩＲ保存時間を経過しておらず、目標ＳＩＲの値から、例えば、０．１ｄＢ等の一定の値を減算した値が、ベースＳＩＲの値よりも大きければ、現在の目標ＳＩＲの値から一定の値を減算した値を目標ＳＩＲの値として設定する。なお、ＳＩＲ制御部３は、目標ＳＩＲの値から一定の値を減算した値がベースＳＩＲの値以下である場合には、ベースＳＩＲの値を目標ＳＩＲの値として設定する。
【００４９】
図４は、目標ＳＩＲの値の変化を示す説明図である。図４には、時刻ｔ１でデータ誤りが検出されたため、目標ＳＩＲの値が大きくなっているが、その後、データ誤りが検出されていないため目標ＳＩＲの値は小さくなり、そして、ベースＳＩＲ保存時間が経過するまでは、目標ＳＩＲの値がベースＳＩＲの値よりも小さくならないことが例示されている。
【００５０】
また、ＳＩＲ制御部３は、タイマ部５が計測した時間が、所定のベースＳＩＲ保存時間を経過すると、目標ＳＩＲの値から、例えば、０．１ｄＢ等の一定の値を減算した値を目標ＳＩＲとして設定する。
【００５１】
そして、ＳＩＲ制御部３は、目標ＳＩＲの値を変更すると、変更した目標ＳＩＲの値を満たすように、通信部１に、送信電力を変更することを要求する制御情報を送信側へ送信させる。具体的には、ＳＩＲ制御部３は、目標ＳＩＲの値を小さくすると、小さくした目標ＳＩＲの値を満たすように、通信部１に、送信電力を小さくすることを要求する制御情報を送信側へ送信させる。
【００５２】
なお、通信品質測定部２がデータ誤りを検出しない場合に、目標ＳＩＲの値を小さくし、通信部１に、送信電力を小さくすることを要求する制御情報を送信側へ送信させる動作は、一般的なアウターループ送信電力制御にもとづく動作である。
【００５３】
この実施の形態の受信装置としての基地局または移動通信端末（移動局）は、コンピュータに、目標ＳＩＲの値の下限であるベースＳＩＲの値をメモリ部４に記憶させる記憶処理と、通信品質測定部２が通信品質が予め定められた程度にまで低下したことを検出すると、予め決められた値を目標ＳＩＲの値に加えた値に目標ＳＩＲの値を変更させ、ベースＳＩＲの値を、通信品質が予め定められた程度にまで低下したことを検出したときの目標ＳＩＲの値に所定の値を加えた値に変更してメモリ部４に記憶させるＳＩＲ制御処理とを実行させ、ＳＩＲ制御処理で、ベースＳＩＲの値を変更してメモリ部４に記憶させるとタイマ部５に時間の計測を開始させ、計測した時間が所定の時間内であるときは、通信品質測定部２が通信品質が予め定められた程度にまで低下したことを検出するまで、または、メモリ部４が記憶しているベースＳＩＲの値まで、目標ＳＩＲの値を小さくさせていくための送信電力制御プログラムを搭載している。
【００５４】
次に、本発明の実施の形態の移動通信システムの動作について、図面を参照して説明する。図５は、移動通信システムの受信側の動作を説明するフローチャートである。
【００５５】
通信部１は、送信側から無線信号を受信する。通信品質測定部２は、通信部１が受信した無線信号が含むデータのブロックに付加されたＣＲＣ符号を用いて、データ誤りを検出する（ステップＳ１０１）。
【００５６】
通信品質測定部２がデータ誤りを検出せず、通信品質が低下したことが所定の時間内に通知されないと、ＳＩＲ制御部３は、メモリ部４が記憶している目標ＳＩＲの値を変更する条件を読み出す。
【００５７】
そして、ＳＩＲ制御部３は、タイマ部５が計測した時間を読み出し、タイマ部５が計測した時間が、所定のベースＳＩＲ保存時間を経過しているか否かを判断する（ステップＳ１０２）。
【００５８】
ＳＩＲ制御部３は、所定のベースＳＩＲ保存時間を経過していないと判断すると、目標ＳＩＲの値から一定の値を減算した値が、ベースＳＩＲの値よりも大きいか否かを判断する（ステップＳ１０３）。
【００５９】
ＳＩＲ制御部３は、一定の値を減算した値が、ベースＳＩＲの値よりも大きくないと判断すると、ベースＳＩＲの値を目標ＳＩＲの値に設定する（ステップＳ１０４）。そして、通信部１を介して、送信側に、送信電力を小さくすることを要求する制御情報を送信する。
【００６０】
なお、ＳＩＲ制御部３は、ステップＳ１０２で、所定のベースＳＩＲ保存時間を経過していると判断したり、ステップＳ１０３で、目標ＳＩＲの値から一定の値を減算した値が、ベースＳＩＲの値よりも大きいと判断した場合には、一般的なアウターループ送信電力制御にもとづいて、現在の目標ＳＩＲの値から一定の値を減算した値を目標ＳＩＲの値として設定し（ステップＳ１０５）、通信部１に、送信電力を小さくすることを要求する制御情報を送信側へ送信させる。
【００６１】
また、ステップＳ１０１で、通信品質測定部２が、通信部１が受信した無線信号が含むデータのブロックに付加されたＣＲＣ符号を用いてデータ誤りを検出し、通信品質が予め定められた程度にまで低下したことが通知されると、ＳＩＲ制御部３は、一般的なアウターループ送信電力制御にもとづいて目標ＳＩＲの値を大きくし（ステップＳ１０６）、通信部１に、送信電力を大きくすることを要求する制御情報を送信側へ送信させる。
【００６２】
そして、ＳＩＲ制御部３は、メモリ部４が記憶しているベースＳＩＲの値を変更する条件を読み出し、ベースＳＩＲの値を変更するか否かを判断する。
【００６３】
ＳＩＲ制御部３は、タイマ部５が計測した時間を読み出し、タイマ部５が計測した時間が、予め決められたホールド時間を経過しているか否かを判断する（ステップＳ１０７）。
【００６４】
ＳＩＲ制御部３は、予め決められたホールド時間を経過していると判断すると、通信品質が予め定められた程度にまで低下したことを検出したことが通知されたときの目標ＳＩＲの値に、所定の値を加えた値が、最大ベースＳＩＲの値よりも大きいか否かを判断する（ステップＳ１０８）。
【００６５】
ＳＩＲ制御部３は、目標ＳＩＲの値に、所定の値を加えた値が、最大ベースＳＩＲの値よりも大きくないと判断すると、所定の値を加えた値をベースＳＩＲの値に設定し（ステップＳ１０９）、メモリ部４に記憶させる。
【００６６】
ＳＩＲ制御部３は、目標ＳＩＲの値に、所定の値を加えた値が、最大ベースＳＩＲの値よりも大きいと判断すると、最大ベースＳＩＲの値をベースＳＩＲの値に設定し（ステップＳ１１０）、メモリ部４に記憶させる。
【００６７】
そして、ＳＩＲ制御部３は、タイマ部５に時間の計測を開始させる（ステップＳ１１１）。
【００６８】
この実施の形態では、所定のベースＳＩＲ保存時間内では、データ誤りを検出しない限り、ベースＳＩＲの値を下限値として目標ＳＩＲの値を小さくし、送信側に送信電力を小さくさせる。すなわち、目標ＳＩＲの値が、ベースＳＩＲの値よりも小さくならない範囲で送信側の送信電力を小さくさせる。そのため、消費電力の増大と、他の移動局への干渉とを防ぎつつ、データ誤りの発生を防ぐことができる。データ誤りの発生を防ぐことができるため、通信品質の向上と低下とを繰り返すという問題の発生を防ぐことができる。
【００６９】
なお、所定のベースＳＩＲ保存時間が経過すると、ベースＳＩＲの値に関わらず目標ＳＩＲの値を小さくするため、通信環境の変化に対応して、目標ＳＩＲの値を小さくし、送信側の送信電力を制御することができる。
【００７０】
また、予め決められたホールド時間内では、ベースＳＩＲの値を変更しないため、一時的に頻発したデータ誤りによって、ベースＳＩＲの値が大きくなることを防ぐことができる。
【００７１】
また、最大ベースＳＩＲの値をベースＳＩＲの上限値としているので、目標ＳＩＲの値が大きすぎることを原因とする消費電力の増大と、他の移動局への干渉とを防ぐことができる。
【００７２】
なお、ベースＳＩＲ保存時間、最大ベースＳＩＲの値、ホールド時間、目標ＳＩＲの値から減算する一定の値、および、目標ＳＩＲに加える所定の値を、本発明の目的を達成するために、例えば、複数の通信環境における送信側と通信側との通信実験等の評価結果によって適切に定めることができる。
【産業上の利用可能性】
【００７３】
本発明は、Ｗ−ＣＤＭＡ方式等の通信方式によって無線信号を送受信するシステムに適用可能である。
【図面の簡単な説明】
【００７４】
【図１】本発明による移動通信システムの実施の形態の受信側の一構成例を示すブロック図である。
【図２】無線信号のデータ誤りを検出したときのベースＳＩＲの値を示す説明図である。
【図３】目標ＳＩＲの値が最大ベースＳＩＲの値よりも大きいときに、データ誤りを検出したことを示す説明図である。
【図４】目標ＳＩＲの値の変化を示す説明図である。
【図５】移動通信システムの受信側の動作を説明するフローチャートである。
【図６】一般的なクローズドループ送信電力制御の概要を示す説明図である。
【図７】通信品質の向上と低下とを繰り返す状況を示す説明図である。
【符号の説明】
【００７５】
１  通信部
２  通話品質測定部
３  ＳＩＲ制御部
４  メモリ部
５  タイマ部
【図１】
2006324885.tif 000003
【図２】
2006324885.tif 000004
【図３】
2006324885.tif 000005
【図４】
2006324885.tif 000006
【図５】
2006324885.tif 000007
【図６】
2006324885.tif 000008
【図７】
2006324885.tif 000009